(57)【要約】【課題】光学部と受光部とを接着する樹脂において、硬化効率の向上と外光の漏れの防止とを両立する。【解決手段】樹脂（３）は、光散乱物質を含有した、透光性を有する紫外線硬化性樹脂である。【選択図】図１
2015103911.tif 000002
【特許請求の範囲】
【請求項１】
レンズ部を収納する筐体と、
上記レンズ部を通過した光を受光する回路素子を搭載する基板と、
上記筐体と上記基板とを接着する樹脂とを備えている受光デバイスであって、
上記樹脂は、光散乱物質を含有した、透光性を有する紫外線硬化性樹脂であることを特徴とする受光デバイス。
【請求項２】
上記樹脂はさらに、熱による硬化機能を有していることを特徴とする請求項１に記載の受光デバイス。
【請求項３】
上記光散乱物質は、無機系顔料を含んでいることを特徴とする請求項１または２に記載の受光デバイス。
【請求項４】
上記無機系顔料は、酸化チタン、酸化亜鉛、酸化マグネシウム、硫酸バリウム、炭酸カルシウムの内の少なくとも１つを含んでいることを特徴とする請求項３に記載の受光デバイス。
【請求項５】
レンズ部を収納する筐体と、上記レンズ部を通過した光を受光する回路素子を搭載する基板とを接着する樹脂であって、
光散乱物質を含有した、透光性を有する紫外線硬化性樹脂であることを特徴とする樹脂。
【発明の詳細な説明】
【技術分野】
【０００１】
本発明は、光学部と受光部とが樹脂により接着されてなる受光デバイス、および受光デバイスにおいて光学部と受光部とを接着する樹脂に関する。
【背景技術】
【０００２】
近年、小型化および高性能化の進む受光デバイスにおいて、実装をより高精度に行うことが求められている。受光デバイスの一例としては、カメラモジュール、近接センサー、および距離測定センサーが挙げられる。
【０００３】
このような要求に応えるため、受光デバイスにおいては、レンズ（光学系）を有する光学部と、撮像素子を有する受光部とを、樹脂により接着する技術が知られている。
【０００４】
特許文献１には、透光性基板の周縁部を遮光すると共に、該透光性基板と他部品との連結を図る連結遮光手段を有するカメラモジュールが開示されている。
【０００５】
特許文献２には、レンズを支持する光学系支持体と、撮像素子が実装されている第２基板とが、接着剤により接着されてなる撮像装置が開示されている。ここで、該光学系支持体は、撮像素子に当接する当接部を有している。該当接部は、光学系支持体の撮像素子に対する位置決めを正確に行うことを可能とするものである。
【０００６】
ところで、受光デバイスにおいて、光学部と受光部とを高精度に実装するために、アクティブ・アラインメントと呼ばれる工程が採用される場合がある。アクティブ・アラインメントとは、例えば撮像素子の出力画像を評価しながら、光学部の位置を微調整した後、光学部と受光部とを接着する工程である。アクティブ・アラインメントについては、特許文献１においても言及されている。
【０００７】
特許文献１に開示されているカメラモジュールは、鏡筒またはレンズと透光性基板とが当接しているため、アクティブ・アラインメントに不向きである。該当接により、鏡筒（レンズ）の透光性基板に対する、高さおよび傾きが規定されてしまうためである。特に、特許文献１では、アクティブ・アラインメントをカメラモジュールの製造工程から省くことを図っている。このことからも、特許文献１に開示されているカメラモジュールがアクティブ・アラインメントに不向きであることは明らかである。
【０００８】
同様に、特許文献２に開示されている撮像装置は、光学系支持体の当接部と撮像素子とが当接しているため、アクティブ・アラインメントに不向きである。該当接により、光学系支持体の撮像素子に対する、高さおよび傾きが規定されてしまうためである。
【０００９】
一方、特許文献３には、光学系筐体に筐体傾斜部を有しているカメラモジュールが開示されている。該光学系筐体は、該筐体傾斜部を介して結合部材によりセンサー基体に結合されている。
【００１０】
具体的に、特許文献３に開示されているカメラモジュールは、光学系筐体に筐体傾斜部が設けられているため、結合部材の結合領域が増大する。これにより、優れた光学特性および高い耐衝撃性を有するカメラモジュールを実現している。
【００１１】
また、特許文献３には、結合部材が、紫外線による硬化機能および熱による硬化機能を有する樹脂（接着剤）であることが開示されている。これにより、アラインメント後における光学系筐体のセンサー基体に対する固定が容易かつ確実なものとなる。
【先行技術文献】
【特許文献】
【００１２】
【特許文献１】特開２０１３−１５３３６１号公報（２０１３年８月８日公開）
【特許文献２】特開２０１３−１２１１４２号公報（２０１３年６月１７日公開）
【特許文献３】特開２００８−２８８３８号公報（２００８年２月７日公開）
【発明の概要】
【発明が解決しようとする課題】
【００１３】
特許文献３では、結合部材を通じて外光が漏れる点に関して言及されていない。
【００１４】
結合部材が、紫外線による硬化機能を有する樹脂（以下、「ＵＶ硬化性樹脂」と称する）である場合、効率のよい硬化のため、透光性に優れた半透明のＵＶ硬化性樹脂を用いることが考えられる。そして、ＵＶ硬化性樹脂を通じて外光が漏れることを防ぐためには、ＵＶ硬化性樹脂に黒色染料を混合することが考えられる。ところが、黒色染料は紫外線を吸収する。これにより、ＵＶ硬化性樹脂の硬化が不十分となる恐れがある。
【００１５】
このように、従来、光学部と受光部とを、ＵＶ硬化性樹脂により接着する場合、ＵＶ硬化性樹脂の硬化効率の向上と外光の漏れの防止とを両立することが困難であった。
【００１６】
本発明は、上記の課題に鑑みて為されたものであり、その目的は、光学部と受光部とを接着する樹脂において、硬化効率の向上と外光の漏れの防止とを両立することを可能とする受光デバイス、およびこの樹脂を実現することにある。
【課題を解決するための手段】
【００１７】
上記の課題を解決するために、本発明の一態様に係る受光デバイスは、レンズ部を収納する筐体と、上記レンズ部を通過した光を受光する回路素子を搭載する基板と、上記筐体と上記基板とを接着する樹脂とを備えている受光デバイスであって、上記樹脂は、光散乱物質を含有した、透光性を有する紫外線硬化性樹脂であることを特徴としている。
【００１８】
上記の課題を解決するために、本発明の一態様に係る樹脂は、レンズ部を収納する筐体と、上記レンズ部を通過した光を受光する回路素子を搭載する基板とを接着する樹脂であって、光散乱物質を含有した、透光性を有する紫外線硬化性樹脂であることを特徴としている。
【発明の効果】
【００１９】
本発明の一態様によれば、光学部と受光部とを接着する樹脂において、硬化効率の向上と外光の漏れの防止とを両立することが可能となる。
【図面の簡単な説明】
【００２０】
【図１】本発明の実施の形態に係るカメラモジュールの構成を示す断面図である。
【図２】樹脂内の光の散乱を示す断面図である。
【図３】図１に示すカメラモジュールの実装工程を示す斜視図であり、光学部と受光部とを樹脂により接着する前を示している。
【図４】図１に示すカメラモジュールの実装工程を示す斜視図であり、光学部と受光部とを樹脂により接着した後を示している。
【図５】本発明の実施の形態に係る感知センサーの構成を示す断面図である。
【図６】図５に示す感知センサーの実装工程を示す斜視図であり、光学部と受光部とを樹脂により接着した後を示している。
【発明を実施するための形態】
【００２１】
〔発明の要旨〕
カメラモジュールにおいて高精度な実装を必要とする場合、アクティブ・アラインメント等、光学部と受光部との位置合わせを行う。ここで、一旦位置合わせを行った後に、光学部と受光部との相対的な位置関係が変動してしまうことを避ける必要がある。このため、光学部と受光部とを、ＵＶ硬化性樹脂により接着することによって、受光部に光学部を仮固定することが考えられる。
【００２２】
また、受光デバイスにおいては、外光に対する遮光性が十分であることが求められる。
【００２３】
ここで、ＵＶ硬化性樹脂が、遮光性に優れた黒色の樹脂である場合、ＵＶ硬化性樹脂に含まれる黒色塗料が紫外線を吸収してしまい、ＵＶ硬化性樹脂の硬化が不十分になる恐れがある。この結果、上記の仮固定が不十分となり、光学部と受光部との相対的な位置関係の変動を許してしまう恐れがある。
【００２４】
一方、ＵＶ硬化性樹脂が、透光性に優れた透明または半透明の樹脂である場合、ＵＶ硬化性樹脂は十分に硬化する。しかしながらこの場合、外光がＵＶ硬化性樹脂を簡単に通過し、受光デバイスにおける外光に対する遮光性が不十分となる。
【００２５】
そこで、十分な仮固定と、外光に対する十分な遮光性とを両立するために、出願人は鋭意検討を行い、その結果、ＵＶ硬化性樹脂に光散乱特性を持たせることを案出した。
【００２６】
〔実施の形態１〕
図１は、本実施の形態に係るカメラモジュールの構成を示す断面図である。
【００２７】
図１に示すカメラモジュール（受光デバイス）１００は、光学部１、受光部２、および樹脂３を備えている。
【００２８】
光学部１は、レンズ部１１、レンズ鏡筒１２、筐体１３、および周辺部品１４を有している。受光部２は、撮像素子（回路素子）２１、および基板２２を有している。
【００２９】
レンズ部１１は、１枚または複数枚のレンズからなり、図示しない被写体を結像するものである。つまり、図１には、レンズ部１１を構成するレンズが３枚である例を示しているが、該レンズの枚数は、１枚または２枚であってもよいし、４枚以上であってもよい。
【００３０】
レンズ鏡筒１２は、レンズ部１１を保持するハウジングである。
【００３１】
筐体１３は、カメラモジュール１００の筐体であり、レンズ部１１、レンズ鏡筒１２、および周辺部品１４を収納するものである。
【００３２】
周辺部品１４は、例えば、レンズ部１１を保持したレンズ鏡筒１２を移動させるアクチュエータを含んでいる。
【００３３】
撮像素子２１は、レンズ部１１を通過した光が入射され、この光を受光するものである。撮像素子２１は例えば、ＣＣＤ（Charge Coupled Device：電荷結合素子）またはＣＭＯＳ（Complementary Metal Oxide Semiconductor：相補型金属酸化膜半導体）により構成されている。
【００３４】
基板２２は、撮像素子２１を搭載する基板である。
【００３５】
樹脂３は、光学部１と受光部２とを接着する接着剤である。具体的に、樹脂３は、筐体１３における被写体から最も遠い面と、基板２２における撮像素子２１の搭載面とを接着している。撮像素子２１を囲むように、該接着が行われる。
【００３６】
ここで、樹脂３は、光散乱物質を含有した、透光性を有するＵＶ硬化性樹脂である。換言すれば、樹脂３は、入射された光を散乱させる特性を有している、透明または半透明のＵＶ硬化性樹脂である。樹脂３は、透明であっても半透明であってもよいが、透明であるほうが硬化効率は良好である。なお、樹脂３は例えば、白色または乳白色である。
【００３７】
樹脂３は、光を散乱させる特性を有しているので、樹脂３に照射された紫外線を散乱させる。このとき、樹脂３に紫外線を吸収する塗料を含める必要がないので、樹脂３内部での紫外線の吸収を抑制することができ、これにより、樹脂３をより効率よく硬化させることができる。つまり、樹脂３は、光学部１と受光部２とを接着する樹脂として用いた場合、該樹脂の硬化効率が向上されたものであると言える。
【００３８】
また、樹脂３は、光を散乱させる特性を有しているので、樹脂３に入射した外光を散乱させる。これにより、樹脂３に入射した外光が樹脂３を通過することを抑制し、外光の漏れを防止することができる。
【００３９】
こうして、光学部１と受光部２とを、樹脂３により接着することによって、樹脂の硬化効率の向上と外光の漏れの防止とを両立したカメラモジュール１００を実現することが可能となる。
【００４０】
また、樹脂３はさらに、熱による硬化機能を有している。なお、樹脂３は、ＵＶ硬化性樹脂と、熱による硬化機能を有している樹脂（熱硬化性樹脂）とを混合したものであってもよいし、熱による硬化機能を有しているＵＶ硬化性樹脂単体であってもよい。
【００４１】
紫外線により樹脂３を硬化させる場合、樹脂３の中心付近を十分に硬化させることが難しい。樹脂３が熱による硬化機能を有していれば、紫外線による樹脂３の硬化に加え、熱により樹脂３を硬化させることができるため、樹脂３を十分に硬化させることが可能となる。具体的には、紫外線により樹脂３を硬化させることにより、光学部１と受光部２とを仮固定し、その後、熱により樹脂３を硬化させることにより、光学部１と受光部２とを完全に固定することができる。該仮固定により、光学部１と受光部２との相対的な位置関係が変動してしまうことを避けることができるため、アクティブ・アラインメントを好適に実施することができる。
【００４２】
ここで、樹脂３に含まれる光散乱物質は、無機系顔料を含んでいるのが好ましい。より具体的に、光散乱物質に含まれる無機系顔料は、酸化チタン、酸化亜鉛、酸化マグネシウム、硫酸バリウム、炭酸カルシウムの内の少なくとも１つを含んでいるのが好ましい。
【００４３】
無機系顔料を混合することにより、熱および圧力に起因する変形に対する耐性が高い樹脂３を実現することができる。この結果、光学部１と受光部２との接着後において、ストレス履歴に強いカメラモジュール１００を実現することができる。
【００４４】
ただし、樹脂３の材料はこれに限定されず、上記以外の無機系顔料を用いてもよいし、無機系顔料以外を用いてもよい。
【００４５】
カメラモジュール１００の動作について簡単に説明する。
【００４６】
被写体（カメラモジュール１００により撮影を行う対象）からの光がレンズ部１１を通過することにより、この光が集光される。こうして、レンズ部１１は、この被写体を結像する。
【００４７】
撮像素子２１は、上記被写体の像に対応する、レンズ部１１を通過した光が入射され、この光を受光する。撮像素子２１は、受光した光を電気信号に変換して、この電気信号を後続の回路に送る。該後続の回路にて各種信号処理が行われることで、被写体の画像を表示画面に表示したり、被写体の画像データを記録媒体に記録させたりすることができる。
【００４８】
〔樹脂内の光の散乱〕
図２は、樹脂３内の光の散乱を示す断面図である。
【００４９】
樹脂３は、カメラモジュール１００の外部から樹脂３に入射した光３１を散乱させる。
【００５０】
光３１が樹脂３に照射された紫外線である場合、上記の散乱により、樹脂３全体に紫外線が行き渡る。これにより樹脂３が効率よく硬化される。
【００５１】
一方、光３１が外光である場合、上記の散乱により、光３１が樹脂３を通過することを抑制することができる。これによりカメラモジュール１００内部への外光の漏れを抑制することができる。
【００５２】
〔カメラモジュールの実装工程〕
図３は、カメラモジュール１００の実装工程を示す斜視図であり、光学部１と受光部２とを樹脂３により接着する前を示している。
【００５３】
図４は、カメラモジュール１００の実装工程を示す斜視図であり、光学部１と受光部２とを樹脂３により接着した後を示している。
【００５４】
アクティブ・アラインメントでは、光学部１と受光部２とを樹脂３により接着する前に、光学部１と受光部２との位置合わせを行う。
【００５５】
具体的に、図３に示すとおり、Ｘ方向（図中Ｘ）、Ｙ方向（図中Ｙ）、Ｘ軸回転方向（図中ＸＲ）、およびＹ軸回転方向（図中ＹＲ）について、受光部２に対して光学部１を移動させる。ここで、Ｘ方向およびＹ方向は、いずれもレンズ部１１の光軸に対して垂直であり、かつ互いに垂直な方向である。こうして、光学部１と受光部２との相対的な位置関係を最適化する。そして、該最適化が有効な状態で、光学部１と受光部２とを、樹脂３により接着する。接着後、該最適化が有効な状態を維持したまま、樹脂３に紫外線を照射して樹脂３を硬化させる。必要に応じて、紫外線による樹脂３の硬化後、樹脂３を加熱して樹脂３をさらに硬化させる。該硬化が完了すると、カメラモジュール１００が完成する（図４参照）。
【００５６】
〔実施の形態２〕
図５は、本実施の形態に係る感知センサーの構成を示す断面図である。
【００５７】
図５に示す感知センサー（受光デバイス）２００は、光学部１０１、受光部１０２、および樹脂３を備えている。
【００５８】
光学部１０１は、発光側レンズ部１１１、受光側レンズ部（レンズ部）１１２、および筐体１１３を有している。受光部１０２は、発光素子１２１、受光素子（回路素子）１２２、および基板１２３を有している。
【００５９】
発光側レンズ部１１１および受光側レンズ部１１２はそれぞれ、レンズ部１１（図１参照）と同様の構成である。発光側レンズ部１１１および受光側レンズ部１１２は、互いに発光側レンズ部１１１および／または受光側レンズ部１１２の光軸方向に重なり合わない位置に配置されている。
【００６０】
筐体１１３は、感知センサー２００の筐体であり、発光側レンズ部１１１および受光側レンズ部１１２を収納するものである。
【００６１】
発光素子１２１は、例えば赤外線ＬＥＤ（Light Emitting Diode：発光ダイオード）により構成されており、光を出射するものである。発光素子１２１から出射された光は、発光側レンズ部１１１を通じて感知センサー２００の外部に出射される。
【００６２】
受光素子１２２は、受光側レンズ部１１２を通過した光が入射され、この光を受光するものである。受光素子１２２は例えば、フォトダイオードにより構成されている。
【００６３】
基板１２３は、発光素子１２１および受光素子１２２を搭載する基板である。
【００６４】
なお、筐体１１３は、発光側レンズ部１１１および発光素子１２１と、受光側レンズ部１１２および受光素子１２２との間に設けられている。そして、これにより、感知センサー２００では、発光側と受光側とが分離して設けられている。
【００６５】
樹脂３は、光学部１０１と受光部１０２とを接着している。具体的に、樹脂３は、筐体１１３における物体から最も遠い面と、基板１２３における発光素子１２１および受光素子１２２の搭載面とを接着している。発光素子１２１および受光素子１２２のそれぞれを囲むように、該接着が行われる。
【００６６】
感知センサー２００においては、光学部１０１と受光部１０２とを、カメラモジュール１００（図１参照）のものと同様の特長を有する樹脂３により接着している。これにより、感知センサー２００において、カメラモジュール１００と同様の効果を得ることができる。
【００６７】
感知センサー２００の動作について簡単に説明する。
【００６８】
発光素子１２１から出射された光は、発光側レンズ部１１１を通じて感知センサー２００の外部に出射される。
【００６９】
感知センサー２００の外部に出射された光は、物体にて反射され、この反射された光が受光側レンズ部１１２を通じて受光素子１２２に入射される。
【００７０】
受光素子１２２は、入射された光を受光し、受光した光を電気信号に変換して、この電気信号を後続の回路に送る。該後続の回路にて各種信号処理が行われることで、物体の有無、または感知センサー２００から物体までの距離を検知することができる。
【００７１】
すなわち、感知センサー２００は、物体の有無を検知する近接センサー、または感知センサー２００から物体までの距離を検知する距離測定センサーとして利用することができる。
【００７２】
図６は、感知センサー２００の実装工程を示す斜視図であり、光学部１０１と受光部１０２とを樹脂３により接着した後を示している。
【００７３】
感知センサー２００の実装工程は、上記項目〔カメラモジュールの実装工程〕と同様であるため、詳細な説明については省略する。
【００７４】
〔付記事項〕
光学部１と受光部２とを樹脂３により接着したカメラモジュール１００、光学部１０１と受光部１０２とを樹脂３により接着した感知センサー２００の他、樹脂３自体についても本発明の範疇に含まれる。
【００７５】
〔まとめ〕
本発明の態様１に係る受光デバイス（カメラモジュール１００および感知センサー２００）は、レンズ部を収納する筐体と、上記レンズ部を通過した光を受光する回路素子（撮像素子２１および受光素子１２２）を搭載する基板と、上記筐体と上記基板とを接着する樹脂とを備えている受光デバイスであって、上記樹脂は、光散乱物質を含有した、透光性を有する紫外線硬化性樹脂である。
【００７６】
上記の構成によれば、樹脂が光を散乱させる特性を有しているので、樹脂に照射された紫外線が散乱される。このとき、樹脂に紫外線を吸収する塗料を含める必要がないので、樹脂内部での紫外線の吸収を抑制することができ、これにより、樹脂をより効率よく硬化させることができる。
【００７７】
また、上記の構成によれば、樹脂が光を散乱させる特性を有しているので、樹脂に入射した外光が散乱される。これにより、樹脂に入射した外光が樹脂を通過することを抑制し、外光の漏れを防止することができる。
【００７８】
こうして、樹脂の硬化効率の向上と外光の漏れの防止とを両立した受光デバイスを実現することが可能となる。
【００７９】
本発明の態様２に係る受光デバイスは、上記態様１において、上記樹脂はさらに、熱による硬化機能を有している。
【００８０】
紫外線により樹脂を硬化させる場合、樹脂の中心付近を十分に硬化させることが難しい。樹脂が熱による硬化機能を有していれば、紫外線による樹脂の硬化に加え、熱により樹脂を硬化させることができるため、樹脂を十分に硬化させることが可能となる。具体的には、紫外線により樹脂を硬化させることにより、光学部と受光部とを仮固定し、その後、熱により樹脂を硬化させることにより、光学部と受光部とを完全に固定することができる。該仮固定により、光学部と受光部との相対的な位置関係が変動してしまうことを避けることができるため、アクティブ・アラインメントを好適に実施することができる。
【００８１】
本発明の態様３に係る受光デバイスは、上記態様１または２において、上記光散乱物質は、無機系顔料を含んでいる。
【００８２】
本発明の態様４に係る受光デバイスは、上記態様３において、上記無機系顔料は、酸化チタン、酸化亜鉛、酸化マグネシウム、硫酸バリウム、炭酸カルシウムの内の少なくとも１つを含んでいる。
【００８３】
無機系顔料を混合することにより、熱および圧力に起因する変形に対する耐性が高い樹脂を実現することができる。この結果、光学部と受光部との接着後において、ストレス履歴に強い受光デバイスを実現することができる。
【００８４】
本発明の態様５に係る受光デバイスは、上記態様１から４のいずれかにおいて、上記回路素子を囲むように、上記樹脂による接着が行われる。
【００８５】
本発明の態様６に係る樹脂は、レンズ部を収納する筐体と、上記レンズ部を通過した光を受光する回路素子を搭載する基板とを接着する樹脂であって、光散乱物質を含有した、透光性を有する紫外線硬化性樹脂である。
【００８６】
上記の構成によれば、光学部と受光部との接着に用いることによって、本発明の各態様に係る受光デバイスと同様の効果を奏する樹脂を実現することができる。
【００８７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００８８】
本発明は、光学部と受光部とが樹脂により接着されてなる受光デバイス、および受光デバイスにおいて光学部と受光部とを接着する樹脂に利用することができる。
【符号の説明】
【００８９】
１  光学部
２  受光部
３  樹脂
１１  レンズ部
２１  撮像素子（回路素子）
１００  カメラモジュール（受光デバイス）
１０１  光学部
１０２  受光部
１１２  受光側レンズ部（レンズ部）
１２２  受光素子（回路素子）
２００  感知センサー（受光デバイス）
【図１】
2015103911.tif 000003
【図２】
2015103911.tif 000004
【図３】
2015103911.tif 000005
【図４】
2015103911.tif 000006
【図５】
2015103911.tif 000007
【図６】
2015103911.tif 000008